(57)【要約】【課題】  エレベータかご室内での車椅子利用者を含む乗客へ色々な情報を提供できる演出性の高いエレベータかごの鏡付き表示装置を得る。【解決手段】  エレベータかご室と、かご室内に設けられ、鏡２ａおよび鏡の表面に設けられた平板式ディスプレイ２ｂとを組み合わせた鏡付き表示装置２と、エレベータの運転状況信号を受けて平板式ディスプレイヘの表示画像を構成する表示内容構成手段９と、表示画像を平板式ディスプレイ２ｂに表示させる表示駆動装置１３とを備え、表示画像は、エレベータの運転状況によって画像の少なくとも一部の表示を透明として、平板式ディスプレイ２ｂを透過することで鏡２ａの反射画像を視認可能とする。【選択図】    図１
2005200203.tif 000002
【特許請求の範囲】
【請求項１】
エレベータかご室と、
前記かご室内に設けられ、鏡および前記鏡の表面に設けられた平板式ディスプレイとを組み合わせた鏡付き表示装置と、
エレベータの運転状況信号を受けて前記平板式ディスプレイヘの表示画像を構成する表示内容構成手段と、
前記表示画像を前記平板式ディスプレイに表示させる表示駆動装置とを備え、
前記表示画像は、エレベータの運転状況によって画像の少なくとも一部の表示を透明として、前記平板式ディスプレイを透過することで鏡の反射画像を視認可能とすることを特徴とするエレベータかごの鏡付き表示装置。
【請求項２】
表示内容構成手段は、エレベータの運転状況の信号により複数の画像データから抽出して表示画面を構成することを特徴とする請求項１記載のエレベータかごの鏡付き表示装置。
【請求項３】
表示内容構成手段は、エレベータが車椅子運転モードであって少なくともかごの戸が開いている時に表示画像の少なくとも一部の表示を透明とすることを特徴とする請求項１記載のエレベータかごの鏡付き表示装置。
【請求項４】
一部を透明とする表示画面の中で表示する画像は、かごの位置を示すインジケータ画像であることを特徴とする請求項１記載のエレベータかごの鏡付き表示装置。
【請求項５】
一部を透明とする表示画面の中で表示する画像は、乗場の映像であることを特徴とする請求項１記載のエレベータかごの鏡付き表示装置。
【請求項６】
表示内容構成手段は、エレベータの運転状況の信号により複数の音声データから抽出して音声情報を流すことを特徴とする請求項１記載のエレベータかごの鏡付き表示装置。
【発明の詳細な説明】
【技術分野】
【０００１】
この発明は、エレベータのかごに設ける鏡機能付きの表示装置に関するものである。
【背景技術】
【０００２】
一般的なエレベータにおいて、かごの正面壁に鏡が設けられている。この鏡は、かごの正面壁に向かって乗込んだ車椅子利用者がエレベータから降りる時に、かごの正面壁に設けた鏡に映っている乗場の状況を確認しながら後退して安全に降りることができるためのものである。しかし、車椅子利用者以外に一般乗客が乗り合わせていると、上記鏡で車椅子利用者が一般乗客と目を合わせることが多く、車椅子利用者にとっては目のやり場がなく精神的ストレスを受ける、など問題がある。これを解決するために、従来では、かごの壁に取付けた鏡の前面に遮蔽幕を設けて、かごの戸の開閉に連動して遮蔽幕を昇降させて鏡を露出させたり、鏡を塞いだりして、車椅子利用者が鏡を必要とする間だけ鏡を露出させて利用できるようにし、車椅子利用者が鏡を不要とする間(エレベータ昇降中)は鏡を遮蔽幕で塞ぎ、車椅子利用者が一般乗客と目を合わせることが極力少なくなるようにしている（例えば、特許文献１参照）。
【０００３】
【特許文献１】特開平７−２４７０８１号公報
【発明の開示】
【発明が解決しようとする課題】
【０００４】
従来のエレベータかごでは、走行中は遮蔽幕が降りているので鏡機能がなく、また停止中は単なる鏡に過ぎないというものであった。
【０００５】
この発明は、上述のような課題を解決するためになされたもので、エレベータの戸開開始少し前から戸閉め完了までの間のみ鏡の機能を有し、その間以外のエレベータ昇降中は鏡の機能を無しとしたり、または、一部鏡の機能を有するとともに、乗場の映像、かごのインジケータの画像、風景などの画像や文字情報を表示するなど、かご室内での車椅子利用者を含む乗客へ色々な情報を提供できる演出性の高いエレベータかごの鏡付き表示装置を提供するものである。
【課題を解決するための手段】
【０００６】
この発明に係るエレベータかごの鏡付き表示装置においては、エレベータかご室と、かご室内に設けられ、鏡および鏡の表面に設けられた平板式ディスプレイとを組み合わせた鏡付き表示装置と、エレベータの運転状況信号を受けて平板式ディスプレイヘの表示画像を構成する表示内容構成手段と、表示画像を平板式ディスプレイに表示させる表示駆動装置とを備え、表示画像は、エレベータの運転状況によって画像の少なくとも一部の表示を透明として、平板式ディスプレイを透過することで鏡の反射画像を視認可能とするようにしたものである。
【発明の効果】
【０００７】
この発明のエレベータかごの鏡付き表示装置によれば、例えばエレベータの戸開開始少し前から戸閉め完了までの間のみ鏡の機能を有し、その間以外のエレベータ昇降中は鏡の機能を無しとしたり、または、一部鏡の機能を有するとともに、乗場の映像、かごのインジケータの画像、風景などの画像や文字情報を表示するなど、かご室内での車椅子利用者を含む乗客へ色々な情報を提供できるという効果が得られる。
【発明を実施するための最良の形態】
【０００８】
実施の形態１．
図１はこの発明を実施するための実施の形態１におけるエレベータかごの鏡付き表示装置を示すかご室内の全体斜視図、図２は鏡付き表示装置の鏡機能を表わした正面図、図３は鏡付き表示装置の鏡機能無し状態を表わした正面図、図４はこの発明の実施の形態１におけるエレベータのかごの平面図、図５は図４のＡ部詳細図、図６はこの発明の実施の形態１におけるエレベータかごの鏡付き表示装置の制御ブロック図である。
【０００９】
図１〜図５において、１はエレベータ乗かごの正面壁、２は鏡付き表示装置、３は車椅子利用者、４は車椅子、５は付添いの介護者、６は一般の乗客、７はかご床である。
鏡付き表示装置２は、図５に示すように、乗かごの正面壁１に取り付けられた鏡２ａと、その表面に重ねて取り付けた平板式ディスプレイ２ｂとを組み合わせて構成されている。なお、鏡付き表示装置２において、鏡の機能を有した状態２ｃとは、図２に示すように、前記鏡２ａの表面に重ねて取り付けた平板式ディスプレイ２ｂに電圧を印加せず、平板式ディスプレイ２ｂを透明とすることで裏面の鏡２ａが露出して鏡が反射する状態である。また、鏡付き表示装置２において、鏡の機能を無しとした状態２ｄとは、図３に示すように、前記鏡２ａの表面に重ねて取り付けた平板式ディスプレイ２ｂに電圧を印加して平板式ディスプレイ２ｂ全面を着色して不透明とし、裏面の鏡２ａを覆って鏡の反射を遮った状態である。
図６において、８はエレベータのかごの戸の開閉状況データ、通常運転や車椅子運転等のエレベータの運転モード、呼び階、行先階などの信号を伝達するエレベータ運転状況信号、９はエレベータ運転状況信号８に基づき、画像データ１０、音声データ１１、画像・音声データ１２を選択する表示内容構成手段、１３は表示内容構成手段９からの制御に基づいて、平板式ディスプレイ２ｂへの表示の駆動、およびスピーカ１４の駆動を行う表示駆動装置である。
【００１０】
エレベータの戸開開始少し前から戸閉め完了までは、鏡付き表示装置２の平板式ディスプレイ２ｂに電圧を印加しないように制御することで、平板式ディスプレイ２ｂが透明となり裏面の鏡２ａが露出して反射する状態になり鏡の機能を有するため、例えば図２の状態２ｃのようにかご内の乗客が鏡に映るものである。
しかし、戸閉め完了してエレベータが昇降し始めると、図３の状態２ｄのように鏡付き表示装置２の前面の平板式ディスプレイ２ｂに電圧を印加して平板式ディスプレイ２ｂの全面を着色して不透明とし、裏面の鏡２ａを覆って鏡の反射を遮り、鏡の機能を無しとする。そして、エレベータが停止階に着き、戸開き開始する少し前から再び鏡の機能を有する図２の状態２ｃのようにする。
前記の機能を持たせることにより、車椅子利用者が必要とする間のみ鏡付き表示装置２に鏡の機能を持たせ、車椅子利用者が必要としない間、つまりエレベータ昇降中は鏡付き表示装置２の鏡の機能を無しとするため、車椅子利用者が一般乗客と鏡を介して目を合わせるということはない。
そのため、車椅子利用者は上述したようなストレスを受けることが減少するため快適にエレベータを使うことができる。
【００１１】
実施の形態２．  
図７はこの発明の実施の形態２におけるエレベータかごの鏡付き表示装置の車椅子運転時の動作を説明するフローチャートである。
図７において、エレベータが運転を開始し、ステップＳ１にて乗場から車椅子運転の呼びがあったことを検出すると、ステップＳ２に進み、車椅子運転モードに切り替え、ステップＳ３にて呼び階に到着する。また、ステップＳ４にてかご内で車椅子運転モードとなり、行先階登録が行われると、ステップＳ５に進み、車椅子運転モードに切り替えられる。次に、ステップＳ３又はＳ５からステップＳ６に進み、鏡付き表示装置２の鏡機能有りとする。そして、ステップＳ７にて車椅子利用者の行先階を登録、ステップＳ８にて車椅子利用者の登録行先階に到着、ステップＳ９にて車椅子利用者が降りると、ステップＳ１０にて鏡付き表示装置２の鏡機能を無しとする。そして、ステップＳ１１にてエレベータの通常運転モードに切り替えられ、通常運転となる（ステップＳ１２）。
この実施の形態２では、車椅子運転モードに切り替えられた時、鏡付き表示装置２を図２に示す鏡機能有りの状態として車椅子利用者の安全を確保し、車椅子利用者が降りた時、鏡付き表示装置２を図３に示す鏡機能無しの状態としてかご室内を通常の状態に戻すものである。
【００１２】
実施の形態３.
図８〜図１０はこの発明の実施の形態３におけるエレベータかごの鏡付き表示装置の表示の一例をそれぞれ示す正面図である。
図８において、１５は鏡付き表示装置２の枠、１４ａは枠１５に設けられたスピーカ１４の放音穴、１６は鏡付き表示装置２の平板式ディスプレイ２ｂで表示された画像の一例である。また、図９において、１７は鏡付き表示装置２の平板式ディスプレイ２ｂで表示された文字情報の一例である。また、図１０は、鏡付き表示装置２において平板式ディスプレイ２ｂを電気的に制御して、鏡付き表示装置２の一部に鏡の機能２ｃを持たせるとともに、他の部分に乗場の映像１８を表示したり、かごのインジケータ画像１９を表示した一例である。  
また、前記乗場の映像１８やかごのインジケータ画像１９を表示するとともに、スピーカ放音穴１４ａから音声による情報を流すことができる。
なお、前記の鏡付き表示装置２において画像を表示したり、音声を流すためのデータは、図６の制御ブロック図に示すように、エレベータ側で蓄積している画像データ１０や音声データ１１を利用したり、エレベータ外部からの画像・音声データ１２を利用する等方法がある。
【００１３】
この実施の形態３においては、実施の形態１の効果以外に、鏡の機能を持たせるとともに乗場の映像やかごのインジケータ画像などを表示することができるために、車椅子利用者が必要とする情報を流すことができる。
また、鏡の機能を有り、無しとするとともに画像、文字や音声による情報を流すことで、演出性の高いエレベータのかご室が提供できる。
【図面の簡単な説明】
【００１４】
【図１】この発明を実施するための実施の形態１におけるエレベータかごの鏡付き表示装置を示すかご室内の全体斜視図である。
【図２】この発明を実施するための実施の形態１におけるエレベータかごの鏡付き表示装置の鏡機能を表わした正面図である。
【図３】この発明を実施するための実施の形態１におけるエレベータかごの鏡付き表示装置の鏡機能無し状態を表わした正面図である。
【図４】この発明の実施の形態１におけるエレベータのかごの平面図である。
【図５】図４のＡ部詳細図である。
【図６】この発明の実施の形態１におけるエレベータかごの鏡付き表示装置の制御ブロック図である。
【図７】この発明の実施の形態２におけるエレベータかごの鏡付き表示装置の車椅子運転時の動作を説明するフローチャートである。
【図８】この発明の実施の形態３におけるエレベータかごの鏡付き表示装置の表示の一例を示す正面図である。
【図９】この発明の実施の形態３におけるエレベータかごの鏡付き表示装置の表示の他の一例を示す正面図である。
【図１０】この発明の実施の形態３におけるエレベータかごの鏡付き表示装置の表示の他の異なる一例を示す正面図である。
【符号の説明】
【００１５】
１  乗かごの正面壁
２  鏡付き表示装置
２ａ  鏡
２ｂ  平板式ディスプレイ
３  車椅子利用者
４  車椅子
５  介護者
６  一般の乗客
７  かご床
８  エレベータ運転状況信号
９  表示内容構成手段
１０  画像データ
１１  音声データ
１２  画像・音声データ
１３  表示駆動装置
１４  スピーカ
１４ａ  スピーカの放音穴
１５  鏡付き表示装置の枠
１６  音声データ
１７  画像の一例
１８  乗場の映像
１９  インジケータ画像
【図１】
2005200203.tif 000003
【図２】
2005200203.tif 000004
【図３】
2005200203.tif 000005
【図４】
2005200203.tif 000006
【図５】
2005200203.tif 000007
【図６】
2005200203.tif 000008
【図７】
2005200203.tif 000009
【図８】
2005200203.tif 000010
【図９】
2005200203.tif 000011
【図１０】
2005200203.tif 000012